(57)【特許請求の範囲】
【請求項１】
集積回路（２）を設置しかつ、前記集積回路への電力供給および試験中の前記集積回路の機能の測定を可能にする構成部品（４，５）を有する試験台（３）と、
前記集積回路（２）に対して陽子（７）を照射する照射装置（６）と、を備えた集積回路の試験装置（１）であって、
前記集積回路（２）上の照射到達領域（９）と前記集積回路（２）の埋込領域（１０）との間に厚さが変化しているマスク（８）を介在させ、
前記マスクは、前記集積回路上に追加される部分を用いて形成されるか、あるいは、前記集積回路自体の基板（１２）本体に形成され、
前記集積回路は、前記埋込領域（１０）に対応する前面側によって前記試験台の上に設置され、一方、前記集積回路の基板（１２）に対応する裏面側は、前記埋込領域の反対側に配置されて、前記照射装置に向けられていることを特徴とする試験装置。
【請求項２】
前記マスクは、一次元あるいは二次元についての傾斜を有する傾斜形状のマスクであることを特徴とする、請求項１に記載の試験装置。
【請求項３】
前記傾斜形状のマスクは、その局部の厚さを通過した後の感応領域（１１）レベルにある陽子の残存エネルギーが、この陽子と前記集積回路の半導体材料との相互作用に関するブラッグピークのエネルギー位置近くとなるような、少なくとも１つの厚さおよび／または１つのタイプを局部的に有していることを特徴とする、請求項２に記載の試験装置。
【請求項４】
前記傾斜形状のマスクは、１つの箇所に、そこでの厚さによると、感応領域（１１）レベルでの陽子の残存エネルギーが、この陽子と前記集積回路の半導体材料との相互作用に関するブラッグピークのエネルギー位置を超えるような、１つの厚さを有しており、さらに別の箇所に、入射陽子のエネルギーが完全に吸収されるような、１つの厚さを有していることを特徴とする、請求項３に記載の試験装置。
【請求項５】
前記照射装置は、陽子加速器を有していることを特徴とする、請求項１ないし４のいずれか１つに記載の試験装置。
【請求項６】
集積回路の試験方法であって、
試験対象の集積回路（２）を、前記集積回路の埋込領域（１０）に対応する前面側によって試験台（３）の上に配置し、一方、前記集積回路の基板（１２）に対応する裏面側は、照射装置（６）に向けて配置することにより、電源に接続して作動させるステップと、
試験において、試験対象の前記集積回路が前記照射装置により陽子（７）の照射を受けるステップと、
前記集積回路上に追加される部分を用いて形成されるか、あるいは、前記集積回路自体の基板（１２）本体に形成された厚さが変化しているマスク（８）を、前記集積回路上の照射到達領域（９）と前記集積回路の埋込領域（１０）との間に介在させるステップと、
試験において、前記集積回路の機能を測定するステップと、から成る試験方法。
【請求項７】
局所的故障を注入する装置の助けにより、試験対象の前記集積回路の感応領域（１１）のカートグラフィを明らかにし、
前記カートグラフィにより、前記集積回路における論理アドレスと、前記集積回路における地理的アドレスとの間の対応付けを提示し、
前記照射試験において前記集積回路の機能を測定することで、前記照射によって機能不全となった部分の論理アドレスを特定し、
前記照射により機能不全となった地理的場所を、前記カートグラフィの助けによって推定し、
前記照射により機能不全となった地理的場所における、前記マスクの厚さを測定し、
機能不全を生じさせた厚さが推定されれば、これによって、陽子の直接電離に対する感度を評価する、請求項６に記載の試験方法。
【発明の詳細な説明】
【技術分野】
【０００１】
本発明は、集積回路の試験装置およびその実施方法に関するものである。本発明は、陽子の一次電離に関する電子部品の感度を明確にすることを可能にする装置に関し、その目的は、陽子のエネルギー調整に関連する問題の一部を克服することである。
【背景技術】
【０００２】
最新技術では、大気、空間、あるいは地上といった自然放射線環境にいくらかの陽子が存在することが知られている。陽子は、電子部品の構成物質と相互作用し得る粒子である。陽子がこのように電子部品の構成物質と相互作用することによって故障を引き起こすことがあり、これは単一の粒子の通過により生じる場合“シングルイベント”と呼ばれる。
【０００３】
陽子と電子部品の構成物質との相互作用は、２つのメカニズムにより生じ、その危険性は粒子のエネルギー準位に依存する。
【０００４】
第１のメカニズムは、図１ａに示すように、核相互作用によるものである。核相互作用では、ある確率で陽子が標的原子の核と相互作用し、これにより二次粒子の放出を誘発する。核と陽子の間での相互作用の可能性は比較的低いが、それでも、二次粒子の放出に起因する電離によりシングルイベントを引き起こすことがある。
【０００５】
第２のメカニズムは、図１ｂに示すように、クーロン反応によるものである。この場合、陽子は、クーロン相互作用により標的原子の電離を引き起こす可能性がある荷電粒子である。このメカニズムは、陽子が部品の構成物質に入るたびに生じる。しかしながら、単位長さにより生成される電荷量（電子的阻止能）は比較的低く、図２に示すように、シリコンの場合、０．０５５ＭｅＶ近くのエネルギーのときに達成される最高値の程度である。電子的阻止能が最大となる位置は、当業者により“ブラッグピーク（Ｂｒａｇｇ ｐｅａｋ）”として知られるものである。物質と相互作用する陽子のブラッグピークのエネルギー値は、標的の半導体材料に応じて変わる。以下、よく見られる陽子とシリコンの相互作用の場合のエネルギーおよび電子的阻止能の値を用いて、本発明の説明を行うが、しかしながら、本発明は、図２に提示したようなタイプの曲線を周知の入手可能なソフトウェアＳＲＩＭ（ｗｗｗ．ｓｒｉｍ．ｏｒｇ）により得ることができるものであれば、その他あらゆる半導体材料に適用可能である。
【０００６】
図２は、そのようなシリコンの中での陽子の電子的阻止能を表す曲線である。この曲線は、シリコンの中での陽子のクーロン相互作用による、単位長さあたりのエネルギー損失を示している。ここで注目したいのは、曲線の最高点が０．０５５ＭｅＶ辺りにあって、その電子的阻止能は０．５３８ＭｅＶ／ｃｍ2／ｍｇに相当しているということである。この曲線は、さらに、陽子のエネルギーが大きくなると陽子の電子的阻止能の値は急速に低下することを示している。
【０００７】
比較的最近の技術すなわち１３０ｎｍを超える分解能のエッチングに到るまでは、陽子とシリコンの組み合わせによる相互作用で故障を引き起こすメカニズムは、核相互作用のみであった。しかしながら、シミュレーション目的だけではなく実証研究としても行われた最近の研究によって、ＩＢＭの６５ｎｍ ＳＯＩ（Ｓｉｌｉｃｏｎ Ｏｎ Ｉｎｓｕｌａｔｏｒ）ＳＲＡＭメモリ技術について得られた実験結果に示されているように、多くの集積部品において、陽子による直接電離のメカニズムによりシングルイベントが引き起こされ得ることが実証された。このシリコン・オン・インシュレータ（ＳＯＩ）技術とは、半導体製造において使用される従来のシリコン基板に代えて、性能を高める目的でシリコン‐絶縁層を使用することを指している。
【０００８】
特に陽子が多い環境である何らかの空間領域における電子部品の場合だけでなく、大気中レベルの領域においても、部品の故障率に対する推定される影響は多大である。この問題の別の側面は、装甲構造の効果に関係している。実際に、陽子は、そのエネルギーの一部を、部品と相互作用するよりも前に失う。部品により検出される陽子のスペクトルは、公称スペクトルとは大きく異なる。電子部品の感応領域に達する前に通過する物質の厚さと種類によって、直接電離により故障を引き起こすことになる陽子の初期エネルギーレベルが大きく異なる。
【０００９】
図３は、アルミニウムの中を進む陽子の、そのエネルギーに応じた影響を示す概略図である。陽子がアルミニウムの中を１０ｍｍ進み、シリコンの中を１ｍｍ進むと、これによって直接電離型の相互作用が引き起こされ、この相互作用は、陽子の初期エネルギーが５０ＭｅＶに相当している場合は、感応領域において危険である可能性がある。陽子のエネルギーがそれより低い場合は、陽子は物質の内部で停止される。そのエネルギーが５０ＭｅＶを超えている場合は、それによる直接電離は少ない。一方で、陽子が２ｍｍのアルミニウムの中を通過するのみの場合があり、この場合、そのエネルギーが２４ＭｅＶ前後であると、危険性がより高いものと考えられる。
【００１０】
与えられた陽子環境に対して予想される故障数の定量化を可能とするためには、陽子の直接電離に関する先進技術の感度を評価する手段を持つことが重要である。しかしながら、そのような現象を生じさせるように調整されたエネルギーレベルを実験的に実現するのは難しいため、陽子の直接電離に関する電子部品の感度を評価することは難しい。
【００１１】
実際に、陽子の直接電離現象を確かに生じさせるためには、部品の感応領域に達したときに陽子が０．０５５ＭｅＶ（これはシリコンの場合であり、他の半導体材料の場合は異なる値である）近くのエネルギーを持つことが可能であるように、エネルギーを十分な精度で調整する必要がある。“部品の感応領域”が意味しているのは、与えられた電荷が効率的に集められて、それによって部品の故障が引き起こされるような領域である。
【００１２】
陽子のそのような直接電離現象を研究することは、部品と陽子源との間にあるメタライズ層、ケース、空気層によって陽子エネルギーが変更されてしまうため、いっそう難しいものとなっている。
【００１３】
図４は、アルミニウム層の中での陽子の進行を、そのエネルギーの関数として表す曲線である。１ＭｅＶの入射陽子の場合、８μｍのアルミニウム層によって、陽子のエネルギーは０．８ＭｅＶ減少する。このため、部品においてその感応領域を入射陽子ビームから隔てているいくつかの層について、すなわちそれらの組成および厚さについての十分な情報がないと、最大限の電離を得るように陽子のエネルギーを調整することは難しい。
【発明の概要】
【発明が解決しようとする課題】
【００１４】
そこで、本発明は、このような問題を解決するため、陽子の一次電離に関する部品の感度の評価を可能とする集積回路試験装置を提案し、これにより入射エネルギーの選択に関連する問題を克服する。
【課題を解決するための手段】
【００１５】
本発明では、上記問題を解決するため、すなわち、有意量の陽子が０．０５５ＭｅＶのエネルギー（シリコンの場合のブラッグピークのエネルギー位置）を有して部品の感応領域に達することを確実にするため、厚さが均一でないマスクを感応領域と照射装置との間に介在させる。その最も薄い部分では、入射放射線の低エネルギー陽子が、有意な効果を有して部品に達する。最も厚い部分では、最高エネルギー陽子のみが、有意な効果を有して部品に達する。
【００１６】
そのようなマスクは、電子部品の外にあっても、あるいは電子部品の基板で構成されていても、どちらでもよい。
【００１７】
この目的のため、本発明の集積回路試験装置は、以下のものを備えている。
‐  集積回路を受ける台であって、集積回路への電力供給および試験中の集積回路の機能の測定を可能にする構成部品を有する台。
‐  集積回路に対して陽子を照射する照射装置。
本装置は、厚さが変化しているマスクを備え、これが、集積回路上の照射到達領域と集積回路の埋込領域との間に配置されていることを特徴としている。
【００１８】
本発明は、さらにつぎの特徴のうちの１つを備えている。
‐  マスクは、一次元あるいは二次元についての傾斜を有する傾斜形状のマスクである。
‐  傾斜形状のマスクは、その局部の厚さを通過した後の感応領域レベルにある陽子の残存エネルギーが、この陽子と集積回路の半導体材料との相互作用に関するブラッグピークのエネルギー位置近くとなるような、少なくとも１つの厚さおよび／または１つのタイプを局部的に有している。
‐  傾斜形状のマスクは、１つの箇所に、そこでの厚さによると、感応領域レベルでの陽子の残存エネルギーが、この陽子と集積回路の半導体材料との相互作用に関するブラッグピークのエネルギー位置を超えるような、１つの厚さを有しており、さらに別の箇所に、入射陽子のエネルギーが完全に吸収されるような、１つの厚さを有している。
‐  マスクは、集積回路上に追加される部分を用いて形成されるか、あるいは、集積回路自体の基板本体に形成される。
‐  集積回路は、埋込領域に対応する前面側によって上記台の上に設置され、一方、基板に対応する裏面側は、埋込領域の反対側に配置されて、照射に向けられている。
‐  照射装置は、陽子加速器を有している。
【００１９】
本発明は、さらに、集積回路の試験方法に関するものであり、該方法は以下の処理を含んでいる。
‐  試験対象の集積回路を試験台の上に配置することにより、電源に接続して作動させる。
‐  試験において、試験対象の集積回路が陽子の照射を受けるようにする。
‐  厚さが変化しているマスクを、集積回路上の照射到達領域と集積回路の埋込領域との間に介在させる。
‐  試験において、集積回路の機能を測定する。
【００２０】
本発明は、さらに次の処理のいずれか１つを含んでいる。
‐  局所的故障を注入する装置の助けにより、試験対象の集積回路の感応領域のカートグラフィを明らかにする。
‐  上記カートグラフィにより、集積回路における論理アドレスと、集積回路における地理的アドレスとの間の対応付けを提示する。
‐  上記照射試験において集積回路の機能を測定することで、上記照射によって機能不全となった部分の論理アドレスを特定する。
‐  上記照射により機能不全となった地理的場所を、カートグラフィの助けによって推定する。
‐  上記照射により機能不全となった地理的場所における、マスクの厚さを測定する。
‐  機能不全を生じさせた厚さが推定されたら、これによって、陽子の直接電離に対する感度を評価する。
【００２１】
本発明は、以下の説明を読むこと、および添付の図面を分析することで、よりよく理解されるであろう。これらは、単なる例示目的で提示されるもので、本発明を限定するものではない。図面は以下のものを示している。
【図面の簡単な説明】
【００２２】
【図１ａ−ｂ】図１ａ，１ｂは、シリコン内部での陽子の相互作用のメカニズムを示す概略図である。
【図２】図２は、シリコン内部での陽子の電子的阻止能を表す曲線である。（既述）
【図３】図３は、アルミニウムの中を進行する陽子の、そのエネルギーに応じた影響を示す概略図である。
【図４】図４は、アルミニウムの中での陽子の進行を、そのエネルギーの関数として表す曲線である。
【図５】図５は、本発明による試験装置の概略図である。
【図６ａ−ｂ】図６ａ，６ｂは、本発明によるマスクの類型を示す概略図である。
【図７】図７は、本発明によるマスクあるいは基板を機械的に薄化する手段を示す概略図である。
【図８】図８は、本発明によるマスクを示す概略図である。
【図９】図９は、ＳＲＡＭメモリのビットの物理的位置と論理アドレスとの対応を示すレーザ・カートグラフィである。
【図１０】図１０は、本発明による方法の機能図である。
【発明を実施するための形態】
【００２３】
図５は、本発明による集積回路２の試験装置１の概略図である。集積回路２は、おおよそで拡大しているが、これは、一連の信頼性試験を受けるため、台３の上に取り付けられた電子部品である。この台３には、集積回路２に電力供給し作動させるための回路４が設けられている。台３には、さらに、試験中に集積回路２の機能を測定するための回路５が設けられている。
【００２４】
本装置１は、試験を実施するための照射装置６を備えており、これによって回路２は陽子７の照射を受ける。
【００２５】
しかしながら、放射を行う照射装置６によって、陽子７の直接電離現象を確かに生じさせるのは難しい。回路２に対して陽子７を照射する際には、部品の感応領域１１に達したときに陽子７がブラッグピークのエネルギー位置（シリコンの場合、０．０５５ＭｅＶ）に近いエネルギーを持つように、放出されるエネルギーを十分な精度で調整することが可能である必要がある。実際に、シリコン内部での陽子の電子的阻止能が最高となるのは、０．０５５ＭｅＶ前後のときである。
【００２６】
この問題を解決するため、本発明は、厚さが変化しているマスク８を追加し、これを、回路２の照射到達領域と回路２の埋込領域１０との間に介在させることを提案している。回路２は、埋込領域１０に対応する前面側によって台３の上に設置されており、基板１２に対応する裏面側９は、埋込領域の反対側にあって、照射に向けられている。上記埋込領域１０は、回路２の機能領域であり、よって感応領域である。
【００２７】
試験を実施するため、回路２のパッケージは、裏面側９すなわち感応領域１１の反対側で開いていることが好ましく、これによって、陽子が、その性質が不明であるメタライズ層ではなく、基板のみを通過するようにできる。
【００２８】
回路２は、パッケージの中に、例えばｎ型またはｐ型シリコンといった半導体材料でできた基板１２を備えており、その中に、ｐ型基板の場合はｎ型のウェル１０、あるいはその逆のものが、埋め込まれている。基板１２には、少なくとも１つの拡散領域１３が設けられており、これはｎ型基板の場合はｐ型であり、あるいはその逆である。この基板１２と同様に、ウェルにも拡散領域１４が設けられており、これはウェルの種類に応じてｎ型またはｐ型である。このような構成により、電離効果に対して非常に高い感受性を示すダイオード、および／またはトランジスタ、および／またはサイリスタが生成され、これらは部品において電離効果に関する感応領域１１を形成する。
【００２９】
本発明は、ここではシリコン技術部品の場合について説明するが、他の半導体材料のもの、中でもＳｉＣ型あるいはＧａＮ型のものに適用することも十分に可能である。
【００３０】
本発明において、マスク８は傾斜形状をしており、図６ａと６ｂにそれぞれ示すように、一次元あるいは二次元についての傾斜を有している。ここでは、マスクは重ねられるものとして示している。
【００３１】
本発明の好適な一実施形態においては、半導体材料の基板１２を薄化することで、マスク８が形成される。この場合、基板の厚みを局部的に削ることで、マスクが得られる。薄化することは機械的に実現される。このとき斜めに薄化されることで、回路２の基板の表面に沿って基板の残りの厚さが変化する。このように機械的に薄化することが回路２の破壊につながることはなく、薄化する前と変わらず、同じレベルの電圧、周波数、温度で機能することが可能である。
【００３２】
図７は、集積回路２上に追加した部分に対して、あるいは集積回路２それ自体の基板１２本体に対して、例えば研削工具といった工具１５を用いてマスク８を形成するところを示している。マスク８あるいは基板１２本体は、研削される間、くさび１７，１８を用いて斜面１６の上に維持される。試験対象の集積回路２が小さいほど、斜面１６の傾斜は険しくなる。目的は、適当な陽子照射のエネルギースペクトルに対応して変化する厚さを得ることである。（ブラッグピークのエネルギー位置に近いエネルギーを持つ陽子のみが伝わるあるいは生み出されるように）エネルギーＥは大きい厚さＭに対応しており、一方、同じ目的で、より低いエネルギーｅはより小さい厚さｍに対応している。部品の寸法に基づいて、厚さはＭからｍまで変化する。
【００３３】
図８は、薄化された後、試験対象の回路２上に追加される部分を示している。
【００３４】
例えば、回路２のいくつかの点において、前面と裏面で半導体材料がレーザービームを吸収できないか、あるいはほとんど吸収しない波長の反射を分析することにより、半導体材料の厚さが測定される。あるいは、部品の厚さをその断面の観測により光学的に測定したり、あるいは機械的に測定するなど、他の方法を実施してもよい。
【００３５】
照射された陽子が回路２に衝突すると、それらは、マスクあるいは傾斜基板の表面上での入射点に応じて、異なる厚さのシリコンを通過する。
【００３６】
本発明の実施形態の一例において、入射陽子が５ＭｅＶのエネルギーを持つとして、また、マスク８または基板１２の縁部１９での残存厚さＨ３が１００μｍに相当し、反対側縁部２０での厚さＨ１が２５０μｍに等しいとする。このとき、入射陽子７は感応領域１１に達するまでシリコンのみを通過する。陽子７が縁部１９に衝突すると、感応領域１１での残存エネルギーは、およそ３ＭｅＶである。陽子７が縁部２０に衝突すると、感応領域１１に達する前に、その陽子のエネルギーはシリコン内で吸収される。
【００３７】
このように、シリコンが薄化されて傾斜形状になっている場合、このマスクあるいは傾斜基板は、例えば入射エネルギー５ＭｅＶの陽子７が局部の厚さを通過した後の残存エネルギーがブラッグピークのエネルギー位置すなわち０．０５５ＭｅＶ近くとなるような、少なくとも１つの厚さおよび／または１つのタイプ（アルミニウム、鉄など）を局部的に有している。
【００３８】
マスク８あるいは傾斜基板は、１つの箇所に、そこでの陽子７の残存エネルギーが０．０５５ＭｅＶを超えるような１つの厚さを有しており、別の箇所に、陽子７のエネルギーが完全に吸収される１つの厚さを有している。すなわち、入射陽子の進行は、必ず基板の最も薄い縁部１９の厚さと最も厚い縁部２０の厚さとの間である。
【００３９】
照射装置６は、好ましくは、陽子７の加速器を有している。回路２に対して装置６を用いて行われる試験において、ある陽子衝突は、陽子の一次電離によって故障を引き起こす。その他の陽子衝突は、シリコンにおける陽子の核相互作用によって故障を生じる。
【００４０】
これら２種類の相互作用を区別するためには、事象の発生を検証することが必要である。例えば、メモリ領域の場合、シリコンを通過した後の陽子７のエネルギーが優先的一次電離領域にあるようなシリコンの残存厚さに対応しているセルは、他のセルよりも事象の発生がはるかに多い。
【００４１】
マスクを通過した後に、陽子は少し逸れる場合がある。このため、本発明の好適な実施形態においては、マスクは電子部品の極めて近くに配置される。（マスクが電子部品の基板により構成される場合は、既にこのようになっている。）
【００４２】
試験結果の正当性を立証し、さらに、誤りであると特定された各ビットについて、陽子７の実際のエネルギーを推定するため、部品のメモリ内での誤りビットの論理アドレスと、回路表面上でのその物理的位置との間の対応付けが必要であるが、これは故障注入ツールにより決定することが可能で、このとき特にレーザが用いられる。このようにして、回路２の感応領域１１のレーザ・カートグラフィ（図９）が予め明確にされ、これによって、部品の各ビットの電荷注入を感応領域１１に示すことが可能となる。回路の表面上での物理的位置を特定し、これをシリコンの残存厚さの測定値に関連付けることができる。このようにして、陽子ビームの下で観測された各誤りについて、レーザ・カートグラフィにより、その故障を引き起こした陽子のエネルギーにまでさかのぼることが可能である。これによって、陽子の一次電離により引き起こされる事象の割合を特定することが可能となる。このような論理／物理対応付けおよび厚さとの関連付けによる方法は、メモリやＦＰＧＡといった通常の論理セルの各構造に対して適用することができる。図９に示す例は、ＳＲＡＭメモリに適用した場合であるが、これは、その他の部品へのこの方法の使用を制限するものではない。
【００４３】
論理／物理対応を決定するために他の方法を実施してもよく、例えば、粒子（重イオン、陽子）による故障注入法を用いたり、マイクロビームを用いたり、関心のある領域をシールドで区切ったり、あるいは故障の注入に電磁波を用いることも可能であり、さらには、部品メーカーから取得したデータを直接用いることもできる。
【００４４】
図１０は、本発明による方法の機能図である。ある動作モードによると、一連の処理が次のように組織される。この図には予備処理２１が示されており、この処理において、試験対象の集積回路２が試験台３の上に配置される。この回路は、予め薄化処理されたマスク８あるいは基板１２と共に、台の上に配置される。厚さが変化している上記マスク８あるいは基板１２は、集積回路２上の照射到達領域と集積回路２の埋込領域との間に配置される。集積回路２が台３の上に配置されたら、処理２２の実行が可能となる。
【００４５】
処理２２では、台３の助けにより、様々な電圧で、さらに場合によっては温度、周波数で、集積回路２に電力を供給し、作動させる。集積回路２が作動しない場合は、処理２３が実行される。それ以外の場合は、処理２４が実行される。
【００４６】
処理２３では、回路２は機能しないため不合格とされる。そして、新しい回路２で処理２１が繰り返される。
【００４７】
処理２４では、集積回路２の試験中の機能が測定される。
【００４８】
処理２５では、感応領域１１の空間的位置とそれらの論理位置との対応付けデータが部品メーカーにより提供されるか、あるいは、故障注入手段により試験対象の集積回路の感応領域１１のカートグラフィが明らかにされる。レーザを故障注入手段とすることができるが、これは、その取得のための唯一の手段ではない。上記カートグラフィによって、例えば部品のメモリの行と列の交点を表すｌ，ｃといった、集積回路における論理アドレスと、上記セルｌ，ｃの故障を引き起こした故障注入手段による衝撃点の、集積回路の表面上での位置の地理的アドレスｘ，ｙとの間の対応付けが提示される。そして、この対応付けを用いて、実際に陽子が感受される効果を伴って（論理アドレスｌ，ｃで）部品に衝突した場所（点ｘ，ｙ）を得る。この位置ｘ，ｙは、それ自体、マスクのある厚さと関連している。
【００４９】
処理２６では、試験対象の集積回路２は、試験において陽子の照射を受ける。この照射試験において集積回路の機能を測定することで、上記照射によって機能不全となった集積回路の機能部分を特定することが可能である。上記照射により機能不全となった地理的場所の地理的アドレスは、カートグラフィの助けによって、推定される。
【００５０】
処理２７では、集積回路のいくつかの異なる箇所で、マスクの厚さを測定する。
【００５１】
処理２５，２６，２７を実行すれば、処理２８の実行が可能となる。
【００５２】
処理２８では、機能不全を生じさせた厚さが推定され、これによって、陽子の直接電離に対する感度が評価される。
【図１ａ】
0005469677.tif 000002
【図１ｂ】
0005469677.tif 000003
【図２】
0005469677.tif 000004
【図３】
0005469677.tif 000005
【図４】
0005469677.tif 000006
【図５】
0005469677.tif 000007
【図６ａ】
0005469677.tif 000008
【図６ｂ】
0005469677.tif 000009
【図７】
0005469677.tif 000010
【図８】
0005469677.tif 000011
【図９】
0005469677.tif 000012
【図１０】
0005469677.tif 000013